(57)【要約】  周辺の空気中を移動する物体、例えば飛行機または自動車のまわりで空気が流れるときに、空気力学的効果が生じる。物体を通過する空気流も空気力学に関係する問題を生じさせる。パイプを通過する空気の強制的な流れは、一般に亜音速モードでの可変挙動による作動モードにより空気力学的問題を多数生じさせる。対向する力は流れを絞る役割を果たすので、ガス、一般に空気の流れ内の、特に臨界的な条件下で、所定の直径または横断面の有効性を低下させる。壁の近くでのガスまたは液体の流れは低速となり、全体の流れに抵抗し、流れの中心と周辺エッジとの間で流量の勾配差を生じさせる。当業者によれば、極めて精密な比で混合されている、金属粉末、例えばチタン粉末、アルミ粉末が添加された、種々のシリカ粉末の極めて微細な混合物から構成された、ｅＣＲＴ「電子コンベクタリアルタイム」として知られるこの電子コンポーネントは、電子を引き寄せ、単に電子親和性だけで電子を機械的振動モードに変換し、これによって電子のエネルギーを引き寄せ、変換し、向きを定める。本特許の方法およびデバイスは、移動中の流体およびガスも関係する撹拌された電子および自由イオンのすべてを補正し、制御するのに使用でき、このデバイスは、機械業界、航空業界、宇宙業界および海事業界、並びにコンピュータ、食品の分野だけでなく医療の分野でも使用できる。【特許請求の範囲】
【請求項１】
運動して循環する流れ内の摩擦により生じる、累積したイオンまたは電子の電荷を、物体内の内外に流れるガスおよび流体から除去するための方法であり、物体の表面上、または流体もしくはガスの流れ内に設置された新規な電子コンポーネントの存在によって得られる清掃を実行し、前記電子コンポーネントは、一方で、金属の電子親和性により、他方で、成形された電子コンポーネントのシリカのピエゾ電気の振動性により、過剰な電子またはイオンの電荷を吸収し、前記電気コンポーネントは単に存在するだけで、電荷の解放を可能にし、流動性を均一にし、ノズルまたはダクトの表面における空気力学のインターフェース、例えば境界層を生じさせる電荷の変動によって影響されない、使用される流体および／またはガスの利用率を最適にする方法。
【請求項２】
空間内を移動する物体、例えば自動車または飛行機の表面に固定され、設置され、接着されるか、またはリニアモードにおいて流動性を補正するよう、例えばキャブレターシステム内の流体または空気のためのダクトの表面に固定され、接着され、もしくはノズル、パイプおよびダクト内を流れる流体またはガスのイオンおよび電子を解放することにより安定化された電子コンポーネントであるデバイスにおいて、
２つの基本的な特性を特徴とし、その一方の特性は、粉体状の金属、例えば非限定的な例を挙げるとすれば、アルミ、チタンの粉末または電子もしくはイオンを求める成分により、更に、高い共振周波数を有する異なるシリカ、例えば機械的振動モードに変換されるイオンおよび電子のエネルギーを消費するダイヤモンドにより形成されるピエゾ電気により、イオンまたは電子を引き寄せることであり、本デバイスは境界層を大幅に低減し、よってカオス状態、すなわち作動の不安定性を解消し、これによってＣＯおよびＣＯ２の汚染の減少に寄与し、エンジンの効率を最適にすることにより、ノイズを小さくし、本デバイスは、当業者により極めて精密な比で、極めて良好に混合されるシリカの粉末および粉状金属を添加した後に成形されることを特徴とするデバイス。
【請求項３】
電気導線を用いることなく、ナノ技術のレベルおよび価電子の親和性のレベル、自然透過率にて、空の空間を通る電子またはイオンの通過が自然に生じることを特徴とする、請求項２に記載のデバイス。
【請求項４】
コンピュータを使用するため、およびオーディオビジュアル用途のために、電気ワイヤーと共に新規な電子コンポーネントであるｅＣＲＴデバイスを所定の場所に並置するか、または単にデバイス内に設置することにより、電気結合を用いることなく自然に透過率が作用することを特徴とする、請求項２に記載のデバイス。
【請求項５】
プラスチック、ポリマーまたは紙、段ボールの微細な層、美的なパッケージもしくは例えば水から、または化学的侵食からデバイスを絶縁するための技術的なパッケージによりコーティングできるようになっている、請求項２に記載のデバイス。
【請求項６】
移動している流体およびガス内でも生じる撹拌された自由電子およびイオンのすべてを補正し、制御するのに使用され、特にラプラス、マックスウェル、ファンデルワールス、ローレンツおよびガウスによって記述された、運動を妨害するイオンおよび電子の電荷の分極の自己誘導される一般的な効果を制限するのに、機械業界、航空業界、宇宙業界および海事業界、更にコンピュータおよび食品分野だけでなく医療分野においても有効である方法およびデバイス。
【発明の詳細な説明】
【背景技術】
【０００１】
周辺の空気中を移動する物体、例えば飛行機または自動車のまわりで空気が流れるときに、空気力学的効果が生じる。物体を通過する空気流も空気力学的な問題を生じさせる。ダクトを通過する空気の強制的な流れは、一般に亜音速モードでの可変挙動による作動モードにより空気力学的問題を多数生じさせる。対向する力は流れを絞る役割を果たすので、ガス、一般に空気の流れ内の、特に臨界的な条件下で、所定の直径または横断面の有効性を低下させる。このことは液体に対しても当てはまり、空気力学および水力学の用語が使用される。ガス状材料であるか、または液体材料であるかに関わらず、流体の流れはダクトパイプの壁の上で複雑となる。壁の近くでのガスまたは液体の流れは低速となり、全体の流れに抵抗し、流れの中心と周辺エッジとの間で異なる流れ勾配を生じさせる。このような観察現象はカーブでの抗力、フォーム、プロフィル、例えばパイプ表面での摩擦と称される。
【０００２】
ダクトパイプ内部でのこれら流体の圧力または速度を変えることによって生じる干渉抗力は、ダクトのキャビティラインでの全体の流れの挙動を大幅に変えるが、このことが本特許出願による液体またはガス状流体の全体の流れの補正および安定化の対象となっている。流れ全体の運動に反する抗力は、ダクトの壁に流体およびガスを結合する付着力を変えるナノ技術から得られる方法によって補正される。分子の撹拌された流れの乱流によって生じる電磁付着力、例えばファンデルワールス力および極性量子力が解放されると、流量および圧力とは無関係に流体ダクト（単数または複数）のすべての断面で均一な流れを生じさせる。流れを小さくする壁との凝集力および張力から流体自体が解放される。電気力は、分子自体と流体性を低下させる壁との間に、表面張力を生じさせる。これら力はガス状または液状流体の流れ内の乱流の発生に寄与し、壁に乱流が接触すると、境界層を生じさせ、全体の有効流れ断面を減少させる。速度または密度に関する流体の可変流れは、所望する作動の線型性によりカットされた比率で全体の流れを変え、作動を不安定で予測不能かつカオス状にする。この不安定性は、機械的な同期運動を困難にするだけでなく、極めて可変なエネルギーの投入を必要とするキャブレターシステムに対して完全に装入しなければならない種々の成分の化学的にバランスの取れた働きも困難にする。一例として、必要な空気流量に対して大きく変化するキャブレターの供給部に空気を吸入することを挙げることができ、この場合、ノズルおよび吸気ダクト内の循環モードが誤動作すると、空気流量は強力な妨害を受ける。流体分子が帯電する極性および価電子電荷量および分子自体とダクトの壁との間で生じる表面張力に関するナノ技術の理解から得られた本方法によって、安定化制御が行われる。ダクトの材料は、明らかに相互に作用し合う。エボナイト棒をこするウサギ皮から工業界まで問題を引き起こしている磁力、静電力およびファンデルワールス力は、固体成分の内外を流れる流体のダイナミックな挙動を変える力となっている。表面張力の比は、特にマックスウェル、ラプラス、ファンデルワールス、ローレンツおよびガウスにより記述され、公知となっているフォームを含む種々のフォームで確立されている電荷による、抵抗を受ける。
【発明の概要】
【発明が解決しようとする課題】
【０００３】
本願は、運動中の分子へ移動するイオンおよび電子の力に加えられる流体およびガス内の電荷の固有の変動の問題を直接解決するものである。撹拌された分子は、これら分子自身の間およびこれら分子が衝突する物体の壁の表面上で擦り力、摩擦力、剪断力およびスリップ力を受けるが、これら物体は、例えば限定的な数種の例を挙げるとすれば、自動車、飛行機、船舶およびキャブレター装置の給気パイプを挙げることができる。
【課題を解決するための手段】
【０００４】
イオンおよび電子の変動は、任意の種類の材料、例えば例を挙げるがこれらに限定されない、ポリマープラスチックまたはアルミ、銅、金属から製造された、流体を搬送するダクト、ノズル、パイプ、チューブの内部で、同じ大きさとなる。ナノ技術の世界は、本方法により、移動中の物体の表面に対し、または液状もしくはガス状流体を伝えるのに使用されるダクト（単数または複数）もしくはノズルの壁に対し、本願固有の少なくとも１つの電子コンポーネントを固定することにより、必要とされるか、または利益が得られるように生じる全体の流れ速度にかかわらず、固体表面上での流体およびガスの全流れの流動性を一様に制御できるようにする。電子工学において、トランジスタが電子保存絶縁部品および電子を循環させることを可能にする導電体の極性および機能により、電子の運動を伝えるのと同じように、本方法は新規な電子コンポーネントにより、過剰な電子およびイオンの引き寄せ／吸収に関与し、流体およびガス上、および壁上での摩擦により、集団として集合する電子を消費することに関与する電子の循環を可能にしている。流体、ガスおよび壁上での過剰なイオンおよび電子の分極の解放は、流れを低速にするインターフェースを解消する。流体およびガスにかかるこれら過剰な電子のアンバランスは、簡単な電子清掃によって補正される流動性のファクターを大幅に損なう。電荷の清掃は、使用される理想的かつ最適なキャブレーションを可能にする。この例は、ＣＯおよびＣＯ２の汚染およびノイズを大幅に低減し、必要とされるすべてのエネルギーレジュームモードに従い、一定に、かつ自発的に利用できるトルクおよびパワーにより、エンジンの効率が認識される。
【０００５】
流体またはガスが流れている物体またはダクトの表面に固定されたデバイス、例えば電子コンポーネントは、電子を引き寄せる容量と共に高い原子価を有する、銅または金のような貴金属の混入により、電子およびイオンを引き寄せることを求める２つの基本的な特性を通して、イオンおよび電子を求める。第２の特性は、イオンおよび電子のエネルギーを消費するように変化するピエゾ電気の要求特性であり、ピエゾは、シリカと、ダイヤモンドまたは同様なものに類似する石英の結晶を通して、高い周波数で振動する異なるタイプの石英とから成る。本方法を実施するための組成物の例は、限定されない。自由イオンおよび電子は、この電子コンポーネントに向かって移動し、この電子コンポーネントは自由イオンおよび電子を引き寄せ、循環する流体またはガス上に滞留する累積した電荷を解放するピエゾ電気を通して、これらイオンおよび電子を消費する。したがって、電子コンポーネントは電子および自然に電子を引き寄せるイオンが欠如した金属または電子コンポーネントを添加することにより、ピエゾ電気モードで作動しやすいシリカ／石英のアマルガムとなっている。
【０００６】
当業者によって極めて精密な比で製造された、種々のシリカの粉末と金属製粉末、例えばチタン、アルミ粉末との極めて微細な混合物から成る「電子コンベクターリアルタイム」に基づく、ｅＣＲＴと称されるこの電子コンポーネントを使って、電子を引き寄せ、電子エネルギーを変換し、電子エネルギーの方向を定める簡単な電子親和性により、電子を機械的振動モードに変換できる。
【０００７】
このデバイスは、要求され、利用可能な空間に従って成形され、このデバイスは、数グラムから数百グラムの重さとなる。清掃すべき巨大な大きさでの用途は、数キログラムの重さまでの範囲となり得る。
【０００８】
この成形される電子コンポーネントは、所望される特定の反応度に従い、シリカおよび異なる金属の異なるパーセントだけ異なる多数の変種組成物を有し得る。この部品またはこれら部品は、当該流体またはガスに対して運動するノズルまたは表面に設置される。所望する補正を行うために、ダクト内の当該流れの中心または当該流れのエッジにおいて、この部品を設置することもできる。この製品は、空気、空間または部品の電子透過率が、これらナノメートル規模の条件で可能な電子とイオンの交換に対して十分であるので、ポイントレスとなった電気ワイヤーを必要とすることなく、特定の導線を用いないで作動するようになっている。イオンと電子の親和性を区別するには、導線ワイヤーを必要としない。その理由は、イオンおよび電子を引き寄せた後に、機械的振動フォームで電子エネルギーを消費するｅＣＲＴ製品のピエゾ電気のエネルギー吸収まで、各材料に固有の親和性および原子価勾配に従い、空のイオンまたは電子空間のコンポーネントからコンポーネントまで、イオンまたは電子がジャンプするからである。このデバイスには、プラスチック、ポリマーまたは紙、段ボールの微細な層、美的なパッケージ、または例えば水もしくは化学的な攻撃から絶縁するための技術的なパッケージをデバイスにコーティングできる。コンピュータでは、ワイヤー内のイオンおよび電子の流れを、パイプ内の流体にリンクでき、同じように補正される同様なカオス状の機能を欠くことはない。流れに反するような位相の反転が生じる。補正的フレームは、除去すべき「マルチレベルの過変調」電子カオスを識別する。これらスプリアス現象は、周知の流体内で生じるように、電子流れ内にカオス状の機能を生じさせ、オーディオ分野におけるこの現象は、本方法およびデバイスによって補正される音の質に影響する。スプリアス現象に起因する音の変化は、現在根絶され、クリーンにされている。実際に、このスプリアス現象はもはや区別されず、マルチレベルのクロス位相のコヒーレントでない流れ内で混合される高調波と大きい順序で組み合わされる。過剰なイオンまたは電子の電荷は、流体および電気情報の初期の機能モダリティに影響を与える。同じことが画像処理分野にも当てはまる。この用途の特別な設置は単にデバイスすなわち新規なｅＣＲＴ電子コンポーネントと導電性ワイヤー（単数または複数）とを単に並置するか、またはデバイス内にｅＣＲＴを簡単に設置するだけで行うことができ、当然ながら透過率は電気ワイヤー結合を用いなくても自然に作用する。
【０００９】
本コンポーネントおよび本方法に実施により電子物理学における、動いている電子および撹拌されたイオンのすべての利用を補正し、制御し、コンピュータの分野からオーディオビジュアルの分野、更に機械業界、航空業界および宇宙業界、並びに海事業界で使用される、動いている流体および／またはガスの分野から、食品分野、更に医療分野までの、複雑で、かつマルチレベルの位相の干渉を解消できる。これらすべての応用例は、共通する理由、すなわち特にラプラス、マックスウェル、ローレンツ、ファンデルワールスおよびガウスにより一部が記述された、運動しているイオンおよび電子の力による、電荷の分極の自己誘導効果を有する。
【国際調査報告】
2010535992.tif 000002
2010535992.tif 000003
2010535992.tif 000004
2010535992.tif 000005
2010535992.tif 000006
2010535992.tif 000007